(57)【要約】      （修正有）【課題】一眼レフカメラにカメラ用三脚を固定した状態で、リュックサックの肩掛けベルトに着脱自在に固定することができるカメラ用三脚アダプターを提供する。【解決手段】ベース部７０の上面に配した雄ネジ７１と、下面に配した雌ネジと、側面に１個以上のアダプターリブ７２とを備え、アダプターリブ７２には貫通穴を備え、雄ネジ７１と雌ネジの中心軸は同一線上にある事を特徴とする。【選択図】図８
0003219444.tif 000002
【実用新案登録請求の範囲】
【請求項１】
ベース部材の上面に配した雄ネジと、下面に配した雌ネジと、側面に１個以上の系合用リブとを備え、該系合用リブには貫通穴を備え、該雄ネジと該雌ネジの中心軸は同一線上にある事を特徴とするカメラ用三脚アダプター。
【考案の詳細な説明】
【技術分野】
【０００１】  本考案は、一眼レフカメラにカメラ用三脚を固定した状態で、リュックサックの肩掛けベルトに着脱自在に固定することができるカメラ用三脚アダプターに関するものである。
【背景技術】
【０００２】  カメラ（特にデジタルカメラやアナログＳＬＲ（一眼レフ）カメラ）を運ぶための多くのバッグ、ストラップ、など様々な他の種類の運搬手段が存在する。【０００３】  カメラ取付装置、および、カメラ取付方法として、特表２０１３−５３１８１１号が知られている。
【特許文献１】特表２０１３−５３１８１１号
【考案の開示】
【考案が解決しようとする課題】
【０００４】  従来のカメラ取付装置、および、カメラ取付方法の場合、小型のモバイルカメラなどは、リュックを背負った状態で、本人の正面を撮影する事は可能であるが、大型の一眼レフカメラを使用する場合、この装置を使いリュックに装着しても、一眼レフカメラのレンズは下を向き、本人の正面を撮影することはできなかった。Ｗｅｂ上に画像を公開することを楽しんでいる人にとって、一眼レフカメラを手ぶらで保持し、撮影者本人の正面画像を、撮影することが望まれていた。また、リュックに固定した一眼レフカメラは、シャッターチャンスによっては、リュックから速やかに外し、床や地面の上に設置し、直ちに撮影を開始することもあり、背負ったリュックに固定している段階から、カメラ用三脚も固定されたものであることが望まれていた。
【課題を解決するための手段】
【０００５】  本考案のカメラ用三脚アダプターは、ベース部材の上面に配した雄ネジと、下面に配した雌ネジと、側面に１個以上の系合用リブとを備え、該系合用リブには貫通穴を備え、該雄ネジと該雌ネジの中心軸は同一線上にある事を特徴とする。
【考案の効果】
【０００６】  本考案のカメラ用三脚アダプターを備えた三脚に固定された一眼レフカメラは、背負ったリュックサックの肩掛けベルトに固定した時は、両手を一眼レフカメラから離した状態で撮影が可能となり、この時両手でメモを取ったり、他の物を保持したりする事が出来、肩掛けベルトから外した時は、一眼レフカメラに固定されている三脚によって、机の上や、地面、岩の上に素早く設置し、撮影を開始する事が可能となる。
【考案を実施するための最良の形態】
【０００７】  カメラ用三脚を固定した一眼レフカメラを、背負ったリュックサックの肩掛けベルトに着脱自在に固定するアダプターであって、該アダプターによって該肩掛けベルトに固定された該一眼レフカメラのレンズが、リュックサックを背負った本人の正面を向く。
【実施例１】
【０００８】  図１は、リックサックに小型のモバイルカメラを固定した状態を示す斜視図である。１はリュックサックであって、２は肩掛けベルト、２０は小型モバイルカメラ、３０はベルト固定ユニット表部材を示している。リックサック１の肩掛けベルト２には、ベルト固定ユニットが固定されていて、ベルト固定ユニットには、小型モバイルカメラ２０が固定されている。この状態の小型のモバイルカメラは、リュックを背負った状態で、本人の正面を撮影する事は可能であった。【０００９】  図２は、図１の状態に対し、モバイルカメラを外した状態を示す斜視図である。３１はベルト固定ユニット裏部材であって、３２はモバイルカメラ台着脱ボタン、３３は固定ネジ、３４は着脱面、３５は固定突起である。ベルト固定ユニット表部材３０に配されたモバイルカメラ台着脱ボタン３２を押すことで、固定突起３５が移動し、ベルト固定ユニット着脱部材４０の固定が外れ、ベルト固定ユニット着脱部材４０と固定されていた小型モバイルカメラ２０を着脱可能としている。【００１０】  また、ベルト固定ユニット表部材３０と、ベルト固定ユニット裏部材３１は、肩掛けベルト２を表裏から挟み込み、固定ネジ３３にて固定されている。【００１１】  図３は、図２の状態に対して、一眼レフカメラを固定した状態を示す斜視図である。６０は一眼レフカメラを示している。この時一眼レフカメラのレンズは下を向き、本人の正面を撮影することはできなかった。【００１２】  図４は、図１に示した小型モバイルカメラの斜視図である。２１は固定用リブであって２２はレンズ、４０はベルト固定ユニット着脱部材、４１はアーム、４５は固定ボルトを示している。図の小型モバイルカメラ２０は、カメラ単品ではなく、固定用リブ２１を配したカメラカバーに納められている。【００１３】  図５は、図４に示した小型モバイルカメラを別視点から見た斜視図である。４３スライド着脱部材リブであって、４４はアームリブ、４６は固定ボルトを示している。スライド着脱部材リブ４３と、アームリブ４４には貫通穴を備えていて、ベルト固定ユニット着脱部材４０とアーム４１は、スライド着脱部材リブ４３とアームリブ４４を貫く固定ボルト４６によって固定されている。固定ボルト４６を外すことで、ベルト固定ユニット着脱部材４０と、アーム４１を分離することが可能である。【００１４】  図５までに説明した構成の製品は、既に市場に出回っている。図２に示すベルト固定ユニットは、キャプチャーの名称で、販売されている。【００１５】  図６は、カメラ用三脚の斜視図である。５１は脚部であって、５２は雲台、５３は三脚固定部、５４は雲台固定部を示している。【００１６】  図７は、カメラ用三脚を分離した状態の斜視図である。市場に販売されている多くのカメラ用三脚は、図のように三脚固定部５３と、雲台固定部５４に分離可能構造になっている。多くの場合、三脚固定部５３に雄ネジを配し、雲台固定部５４に雌ネジを配している。【００１７】  図８は、本考案のカメラ用三脚アダプターの斜視図である。７０はベース部であって、７１は雄ネジ、７２はアダプターリブを示している。雄ネジ７１の反対面には雌ネジが配されている。アダプターリブ７２には貫通穴が配されて���る。【００１８】  図９は、カメラ用三脚アダプターとベルト固定ユニット着脱部材を結合した状態を示す斜視図である。アダプターリブ７２とベルト固定ユニット着脱部材４０は、スライド着脱部材リブ４３とアダプターリブ７２を貫く固定ボルト４６によって固定されている。【００１９】  図１０は、図７の分離した三脚間にカメラ用三脚アダプターをセットした状態を示す斜視図である。カメラ用三脚とカメラ用アダプターはネジ固定されている。【００２０】  図１１は、図１０に対し一眼レフカメラをセットした状態を示す斜視図である。一眼レフカメラとカメラ用三脚はネジ固定されている。【００２１】  図１２は、図１１の一眼レフカメラ三脚一体セットをリュックサックに固定した状態を示す斜視図である。図１１の状態で、リュックサック１を背負った時、脚部５１がリュックサック１を背負った人の腹部に当ることで、一眼レフカメラ６０のレンズ６１は、下を向くことなく、リュックサック１を背負った人と同じ方向の正面を向いたままの状態を保つことが出切る様になっている。
【産業上の利用可能性】
【００２２】  本考案の、カメラ用三脚アダプターを備えた三脚に固定された一眼レフカメラは、背負ったリュックサックの肩掛けベルトに固定した時は、両手を一眼レフカメラから離した状態で撮影が可能となり、この時両手でメモを取ったり、他の物を保持したりする事が出来、肩掛けベルトから外した時は、一眼レフカメラに固定されている三脚によって、机の上や、地面、岩の上に素早く設置し、撮影を開始する事が可能となる。
【図面の簡単な説明】
【００２３】
【図１】リックサックに小型のモバイルカメラを固定した状態を示す斜視図。
【図２】図１の状態に対し、モバイルカメラを外した状態を示す斜視図。
【図３】リックサックに一眼レフカメラを固定した状態を示す斜視図。
【図４】図１に示した小型モバイルカメラの斜視図。
【図５】図４に示した小型モバイルカメラを別視点から見た斜視図。
【図６】カメラ用三脚の斜視図
【図７】カメラ用三脚を分離した状態の斜視図。
【図８】本考案のカメラ用三脚アダプターの斜視図。
【図９】カメラ用三脚アダプターとスライド着脱部材を結合した状態を示す斜視図。
【図１０】図７の分離した三脚間にカメラ用三脚アダプターをセットした状態を示す斜視図。
【図１１】図１０に対し一眼レフカメラをセットした状態を示す斜視図。
【図１２】図１１の一眼レフカメラ三脚一体セットをリュックサックに固定した状態を示す斜視図。
【符号の説明】
【００２４】  １    リュックサック
２    肩掛けベルト
２０  小型モバイルカメラ
２１  固定用リブ
２２  レンズ
３０  ベルト固定ユニット表部材
３１  ベルト固定ユニット裏部材
３２  モバイルカメラ台着脱ボタン
３３  固定ネジ
３４  着脱面
３５  固定突起
４０  ベルト固定ユニット着脱部材
４１  アーム
４３  スライド着脱部材リブ
４４  アームリブ
４５  固定ボルト
４６  固定ボルト
５１  脚部
５２  雲台
５３  三脚固定部
５４  雲台固定部
７０  ベース部
７１  雄ネジ
７２  アダプターリブ
６０  一眼レフカメラ
６１  レンズ
【図１】
0003219444.tif 000003
【図２】
0003219444.tif 000004
【図３】
0003219444.tif 000005
【図４】
0003219444.tif 000006
【図５】
0003219444.tif 000007
【図６】
0003219444.tif 000008
【図７】
0003219444.tif 000009
【図８】
0003219444.tif 000010
【図９】
0003219444.tif 000011
【図１０】
0003219444.tif 000012
【図１１】
0003219444.tif 000013
【図１２】
0003219444.tif 000014